(57)【要約】【課題】洗浄機構の位置を紫外線ランプからの光の影や流れの乱れを発生させることなく測定することができることを課題とする。【解決手段】被処理流体が流入する筒状容器２１と、この筒状容器２１内に通流する被処理流体に紫外線を照射する紫外線ランプ２８と、この紫外線ランプ２８を保護する光透過性のランプスリーブ２９と、このランプスリーブ２９を洗浄する洗浄機構３０と、この洗浄機構３０を駆動させる駆動ねじ３２と、この駆動ねじ３２を回転させるモータ３３と、このモータ３３の回転を制御して洗浄機構３０の位置決めを行うエンコーダ３４を具備することを特徴とする紫外線照射装置。【選択図】図１
2011056363.tif 000002
【特許請求の範囲】
【請求項１】
被処理流体が流入する筒状容器と、この筒状容器内に通流する被処理流体に紫外線を照射する紫外線ランプと、この紫外線ランプを保護する光透過性のランプスリーブと、このランプスリーブを洗浄する洗浄機構と、この洗浄機構を駆動させる駆動ねじと、この駆動ねじを回転させるモータと、このモータの回転を制御して洗浄機構の位置決めを行うエンコーダを具備することを特徴とする紫外線照射装置。
【請求項２】
前記エンコーダによる位置を表示するモニターを更に備えていることを特徴とする請求項１に記載の紫外線照射装置。
【請求項３】
前記エンコーダは、原点復帰制御機能を有することを特徴とする請求項１もしくは２に記載の紫外線照射装置。
【発明の詳細な説明】
【技術分野】
【０００１】
本発明は、浄水処理や下水処理・食品排水処理・薬品排水処理・遠洋船舶バラスト水処理などにおいて、藻類・微生物・病原性原虫などを不活化もしくは無害化するために被処理水に紫外線を照射する紫外線照射装置に関する。
【背景技術】
【０００２】
従来、例えば、図２（Ａ)〜（Ｃ)に示すような紫外線照射装置が知られている。ここで、図２（Ａ)は同紫外線照射装置の平面図、図２（Ｂ)は図２（Ａ)の正面図、図２（Ｃ)は図２（Ａ)の側面図を示す。
【０００３】
図中の符番１は、被処理流体２が流入し，両端部にフランジ３ａ，３ｂが夫々形成された筒状容器である。この筒状容器１の両端部のフランジ３ａ，３ｂ部分には、夫々図示しない配管が連結され、筒状容器１に被処理流体２が供給され、紫外線照射処理されて処理流体として取り出される。筒状容器１には、該筒状容器１と交差するように筒状体４が連結して設けられている。筒状体４の両端には夫々フランジ５ａ，５ｂが設けられ、これらのフランジ５ａ，５ｂは、夫々閉止フランジ６ａ，６ｂにより閉じられている。
【０００４】
筒状容器１及び筒状体４内には、紫外線を被処理流体２に照射する紫外線ランプ７、この紫外線ランプ７を保護するランプスリーブ８、及び磁気式位置センサ９が配置されている。ランプスリーブ８の外周部には、該ランプスリーブ８を洗浄する洗浄機構１０が図２（Ｃ)の矢印Ｘ方向に移動するように配置されている。洗浄機構１０は、ランプスリーブ８の外周面と接するブラシ１１を備えている。
【０００５】
前述した一方の閉止フランジ６ａには、洗浄機構１０を駆動させる駆動ねじ１２が回転自在に取り付けられている。駆動ねじ１２はモータ１３により駆動する。洗浄機構１０の位置決めは、磁気式位置センサ９に取り付けられたマグネット１４により行われる。なお、図中の符番１５は処理済の被処理流体（処理済流体）を示し、矢印Ｙは駆動ねじ１２の回転方向を示す。
【０００６】
こうした構成の紫外線照射装置の動作は、次のとおりである。  
モータ１３が回転すると、駆動ねじ１２も矢印Ｙ方向に回転し、洗浄機構１０が動作する。この記洗浄機構１０は、紫外線ランプ７が収納されているランプスリーブ８を洗浄するため、ランプスリーブ８全体を動く必要があり、磁気式位置センサ９の有効ストローク分も動く範囲にある。ここで、洗浄機構１０に取付けたマグネット１４の位置により、洗浄機構１０の位置が分かる。  
従来、紫外線ランプやその保護管等を備えた紫外線照射装置としては、例えば特許文献１が知られている。
【先行技術文献】
【特許文献】
【０００７】
【特許文献１】特許第４１６８３４８号公報
【発明の概要】
【発明が解決しようとする課題】
【０００８】
しかし、前記磁気式位置センサ９は、筒状容器１と交差する筒状体４内を貫通する必要があり、流れの中にあるため、紫外線ランプ７からの光の影や流れの乱れが発生するという問題があった。  
本発明はこうした事情を考慮してなされたもので、洗浄機構の位置を紫外線ランプからの光の影や流れの乱れを発生させることなく測定可能な紫外線照射装置を提供することを目的とする。
【課題を解決するための手段】
【０００９】
本発明に係る紫外線照射装置は、被処理流体が流入する筒状容器と、この筒状容器内に通流する被処理流体に紫外線を照射する紫外線ランプと、この紫外線ランプを保護する光透過性のランプスリーブと、このランプスリーブを洗浄する洗浄機構と、この洗浄機構を駆動させる駆動ねじと、この駆動ねじを回転させるモータと、このモータの回転を制御して洗浄機構の位置決めを行うエンコーダを具備することを特徴とする。
【発明の効果】
【００１０】
本発明によれば、従来のように筒状容器や筒状体内を貫通する磁気式センサを設けるのではなく、モータの回転を制御して洗浄機構の位置決めを行うエンコーダを装置外部に配置することにより、洗浄機構の位置を紫外線ランプからの光の影や流れの乱れを発生させないで測定することができる。
【図面の簡単な説明】
【００１１】
【図１】本発明に係る紫外線照射装置の説明図。
【図２】従来の紫外線照射装置の説明図。
【発明を実施するための形態】
【００１２】
次に、本発明に係る紫外線照射装置について更に詳しく説明する。  
本発明の紫外線照射装置は、上述したように、筒状容器と、紫外線ランプと、光透過性のランプスリーブと、洗浄機構と、駆動ねじと、モータと、エンコーダを具備している。  
本発明においては、上述した構成部材の他に、前記エンコーダによる位置を表示するモニターを更に備えていることが好ましい。モニターの画面を見ることにより、洗浄機構の位置が直ぐに分かる。
【００１３】
また、前記エンコーダは、原点復帰制御機能を備えていることが好ましい。具体的には、停電などで洗浄機構が途中で止まってしまっても、再起動時、原点に復帰して動作する。それにより、人が手で作業する手間が省けるとともに、原点への戻し忘れの防止、さらに途中に洗浄機構があると影による性能低下の問題がなくなる。
【００１４】
（実施例）  
本発明の一実施例に係る紫外線照射装置について図１（Ａ）〜（Ｃ）に示すような紫外線照射装置が知られている。ここで、図１（Ａ)は同紫外線照射装置の平面図、図１（Ｂ)は図１（Ａ)の正面図、図１（Ｃ)は図１（Ａ)の側面図を示す。
【００１５】
図中の符番２１は、被処理流体２２が流入し，両端部に夫々フランジ２３ａ，２３ｂが夫々形成された筒状容器である。この筒状容器２１の両端部のフランジ２３ａ，２３ｂ部分には、図示しない配管が連結され、筒状容器２１に被処理流体２２が供給され、紫外線照射処理されて処理済流体２５として取り出される。筒状容器２１には、該筒状容器２１と交差するように筒状体２４が連結して設けられている。筒状体２４の両端には夫々フランジ２６ａ，２６ｂが設けられ、これらのフランジ２６ａ，２６ｂは夫々閉止フランジ２７ａ，２７ｂにより閉じられている。
【００１６】
筒状容器２１及び筒状体２４内には、紫外線を被処理流体２２に照射する紫外線ランプ２８、及びこの紫外線ランプ２８を保護するランプスリーブ２９が配置されている。ランプスリーブ２９の外周部には、該ランプスリーブ２９を洗浄する洗浄機構３０が図２（C)の矢印Ｘ方向に移動するように配置されている。洗浄機構３０は、該洗浄機構３０の内側にランプスリーブ２９の外周面と接するブラシ３１を備えている。
【００１７】
前述した一方の閉止フランジ２６ａには、洗浄機構３０を駆動させる駆動ねじ３２が回転自在に取り付けられている。駆動ねじ３２はモータ３３により駆動する。モータ３３の近くには、該モータの回転を制御して洗浄機構３０の位置決めを行うエンコーダ３４が配置されている。なお、図中の矢印Ｙは、駆動ねじ３２の回転方向を示す。
【００１８】
こうした構成の紫外線照射装置の動作は、次のとおりである。  
モータ３３が回転すると、駆動ねじ３２も矢印Ｙ方向に回転し、洗浄機構３０が動作する。この洗浄機構３０は、紫外線ランプ２８が収納されているランプスリーブ２９を洗浄するため、ランプスリーブ２９全体を動く必要がある。ここで、モータ３３の回転制御をエンコーダ３４により実施し、洗浄機構３０の位置決めを行う。
【００１９】
上記実施例によれば、モータ３３の回転制御を行うエンコーダ３４を装置の外部に配置することにより、従来必要として磁気式位置センサを無くすことができる。従って、紫外線ランプ２８からの影が発生しなくなり、被処理流体の流れの乱れも無くなるため、被処理流体へ安定した紫外線処理を行うことができる。
【００２０】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００２１】
２１…筒状容器、２２…被処理流体、２３ａ，２３ｂ，２６ａ，２６ｂ…フランジ、２４…筒状体、２５…処理済流体、２７ａ，２７ｂ…閉止フランジ、２８…紫外線ランプ、２９…ランプスリーブ、３０…洗浄機構、３１…ブラシ、３２…駆動ねじ、３３…モータ、３４…エンコーダ。
【図１】
2011056363.tif 000003
【図２】
2011056363.tif 000004